(57)【要約】      （修正有）【課題】そこでこの考案は、従来の表面に凹凸を有する誘導用シートはそのままにして、弱視の人に蓄光材を設けることにより、光で反応できる弱視の視覚障害者誘導用シートを開発・提供する。【解決手段】視覚障害者誘導用シートにおいて、誘導用シート本体（１）を透明素材で形成し、該誘導用シート本体（１）の底面に、蓄光材（Ｘ）を設け、また、誘導用シート本体（１）を透明素材で形成し、また、該誘導用シート本体（１）の底面に、基板（２）を設けると共に、該誘導用シート本体（１）には蓄光材（Ｘ）を設け、さらに、誘導用シート本体（１）を透明素材で形成し、該誘導用シート本体（１）の底面に、蓄光材シート（Ｙ）を貼着することを特徴とする視覚障害者誘導用シートから構成される。【選択図】図１
0003115575.tif 000002
【実用新案登録請求の範囲】
【請求項１】
視覚障害者誘導用シートにおいて、誘導用シート本体（１）を透明素材で形成し、該誘導用シート本体（１）の底面に、蓄光材（Ｘ）を設けたことを特徴とする視覚障害者誘導用シート。
【請求項２】
視覚障害者誘導用シートにおいて、誘導用シート本体（１）を透明素材で形成し、該誘導用シート本体（１）の底面に、基板（２）を設けると共に、該誘導用シート本体（１）には蓄光材（Ｘ）を設けたことを特徴とする視覚障害者誘導用シート。
【請求項３】
視覚障害者誘導用シートにおいて、誘導用シート本体（１）を透明素材で形成し、該誘導用シート本体（１）の底面に、蓄光材シート（Ｙ）を貼着することを特徴とする視覚障害者誘導用シート。
【請求項４】
視覚障害者誘導用シートにおいて、誘導用シート本体（１）を透明素材で形成し、該誘導用シート本体（１）の底面に、基板（２）を設けると共に、該誘導用シート本体（１）には蓄光材シート（Ｙ）を貼着することを特徴とする視覚障害者誘導用シート。
【請求項５】
誘導用シート本体（１）の透明素材が、アクリル樹脂等の透明合成樹脂材、または、ガラス材から選ばれたものであることを特徴とする請求項１または請求項２または請求項３または請求項４記載の視覚障害者誘導用シート。
【請求項６】
視覚障害者誘導用シートにおいて、誘導用シート本体（１）に設けた蓄光材（Ｘ）が、誘導用シート本体（１）の一部、あるいは全部であることを特徴とする視覚障害者誘導用シート。
【請求項７】
視覚障害者誘導用シートにおいて、誘導用シート本体（１）に設けた蓄光シート（Ｙ）が、誘導用シート本体（１）の一部、あるいは全部であることを特徴とする視覚障害者誘導用シート。
【考案の詳細な説明】
【技術分野】
【０００１】
この考案は、視覚障害者誘導用シートに関する。
【背景技術】
【０００２】
従来、歩行者用の道路、即ち、人道には、視覚障害者のために誘導用シートが貼り付けられて、視覚障害者の通行に対して保護している。
【０００３】
そして、この視覚障害者誘導用シートには、二種類あり、視覚障害者の移動方向を指示するために路面に敷設されるシートであって、平行する線状の突起をその表面に付けた線状シートと、視覚障害者に対し、段差の存在等の警告または注意を喚起するため、路面に敷設するシートであって、点状の突起をその表面に付けた線状シートとがある。
【０００４】
しかし、視覚障害者と一言にいっても、全く全盲の人と、弱視の人とがあり、多少、光りに反応できる弱視の人のための路面シートは存在しなかった。
【０００５】
自発光式の点字ブロックは、存在するが、ブロック内にコンデンサーやＬＥＤを備えた発光ユニットが必要となり、コストも高価になるものであった。例えば、特許文献１のように。
【特許文献１】特開２００４−２５７１８２号公報
【０００６】
また、舗装用ブロックにも、発光式のものが存在するが、発光ユニットやこれを固定、結線するための配線ボックスや導線を通す電線管等を必要とし、コストも高価になるものであった。例えば、特許文献２のように。                                              
【特許文献２】特開２００４−０４４２１２号公報
【考案の開示】
【考案が解決しようとする課題】
【０００７】
そこでこの考案は、従来の表面に凹凸を有する誘導用シートはそのままにして、弱視の人に蓄光材を設けることにより、光で反応できる弱視の視覚障害者誘導用シートを開発・提供することを目的としたものである。
【課題を解決するための手段】
【０００８】
この考案によると、従来の視覚障害者誘導用シートを、合成樹脂やガラス等の透明素材で形成し、その裏面に蓄光材を塗布したり、蓄光シートを貼着して設けたものであり、表面の凹凸部は、従来通り、線状突起、並びに、点状突起を設けており、視覚障害者に歩行の指示ができ、また、弱視の人には、透明素材のシートの裏面に蓄光材を設けることにより、光によっても、歩行の指示ができ、さらに、健常者に対しても、視覚障害者誘導用シートの存在を明らかにすることが出来る視覚障害者誘導用シートである。
【考案の効果】
【０００９】
この考案によると、従来の視覚障害者誘導用シートを、透明素材で形成し、その裏面に蓄光材を設けたものであり、透明素材で形成した誘導用シートの表面には、従来通りの凹凸部、即ち、線状突起、並びに、点状突起を設けており、全盲の人には、歩行の指示ができ、また、弱視の人には、透明素材のシートの裏面に蓄光材、あるいは蓄光シートを設けたため、光による歩行の指示もでき、さらに、健常者に対しても、視覚障害者誘導用シートの存在を明らかにすることが出来、しかも、蓄光材、あるいは蓄光シートを使用するため、電気的発光ユニット等に比べて安価で、トラブルはない等、極めて有益なる効果を奏する。
【考案を実施するための最良の形態】
【００１０】
以下、この考案の一実施例を図面に従って説明すると、道路の路面標識において、センターライン等のライン表示に、蓄光材を塗布したシート材を、ベルト状にカットして路面に貼着したり、このシートを、透明・半透明の堅牢な帯板材で被覆し、該帯板材を、センターラインや車線表示に設けたものである。
【実施例】
【００１１】
以下、この考案の一実施例を図面に従って説明すると、視覚障害者誘導用シートにおいて、誘導用シート本体（１）を透明素材で形成し、該誘導用シート本体（１）の底面に、蓄光材（Ｘ）を設けたことを特徴とする視覚障害者誘導用シートから構成される。
【００１２】
次に、この考案の他の実施例を図面に従って説明すると、視覚障害者誘導用シートにおいて、誘導用シート本体（１）を透明素材で形成し、該誘導用シート本体（１）の底面に、基板（２）を設けると共に、該誘導用シート本体（１）には蓄光材（Ｘ）を設けたことを特徴とする視覚障害者誘導用シートから構成される。
【００１３】
さらに、この考案の他の実施例を図面に従って説明すると、視覚障害者誘導用シートにおいて、誘導用シート本体（１）を透明素材で形成し、該誘導用シート本体（１）の底面に、蓄光材シート（Ｙ）を貼着することを特徴とする視覚障害者誘導用シートから構成される。
【００１４】
そして、さらに、この考案の他の実施例を図面に従って説明すると、視覚障害者誘導用シートにおいて、誘導用シート本体（１）を透明素材で形成し、該誘導用シート本体（１）の底面に、基板（２）を設けると共に、該誘導用シート本体（１）には蓄光材シート（Ｙ）を貼着することを特徴とする視覚障害者誘導用シートから構成される。
【００１５】
また、誘導用シート本体（１）の透明素材が、アクリル樹脂、ポリカーボネート樹脂等の透明合成樹脂材、または、ガラス繊維、ガラス材から選ばれたものであり、要するに、誘導用シート本体（１）の裏面に塗布した蓄光材（Ｘ）や、裏面に貼着した蓄光シート（Ｙ）が、表面側に視認できる素材であれば充分である。
【００１６】
また、視覚障害者誘導用シートにおいて、誘導用シート本体（１）に設けた蓄光材（Ｘ）、および蓄光シート（Ｙ）は、誘導用シート本体（１）の裏面の一部にだけ設けてもよい。即ち、誘導用シート本体（１）の点状や線状の突起部である凸部（Ａ）だけとか、あるいは、誘導用シート本体（１）の凹部（Ｂ）の裏面にだけ塗布、あるいは、貼着するとの意味であり、蓄光材（Ｘ）、蓄光シート（Ｙ）の使用箇所を少なくすることにより、高価な蓄光材（Ｘ）、蓄光シート（Ｙ）の使用を押さえることができる。
【００１７】
もちろん、誘導用シート本体（１）の裏面には、蓄光材（Ｘ）及び蓄光シート（Ｙ）を全面に塗布、あるいは貼着してもよいものであり、特に、田舎道のように、夜間、照明も点灯していないような場所では、健常者にとっても、この蓄光材（Ｘ）及び蓄光シート（Ｙ）が歩行の道しるべになるものである。
【００１８】
尚、通常の誘導用シートの色彩は、通常は黄色であるが、本願の誘導用シート本体（１）に塗布あるいは貼着する蓄光材（Ｘ）、蓄光シート（Ｙ）の色は、黄色以外の色彩であってもよく、特に限定されることはない。
【産業上の利用可能性】
【００１９】
この考案の視覚障害者誘導用シートの技術を確立し、製造・販売することにより、産業上の利用に寄与することができる。
【図面の簡単な説明】
【００２０】
【図１】この考案の一実施例を示す平面図を示す。
【図２】この考案の一実施例を示す一部欠截正面図である。
【図３】この考案の他の実施例を示す平面図である。
【図４】この考案の他の実施例を示す一部欠截正面図である。
【図５】この考案の一実施例を示し、（Ａ）、（Ｂ）ともに一部欠截拡大断面図である。
【図６】この考案の他の実施例を示し、（Ａ）、（Ｂ）ともに一部欠截拡大断面図である。
【符号の説明】
【００２１】
１  誘導用シート本体
２  基板
Ａ  凸部
Ｂ  凹部
Ｘ  蓄光材
Ｙ  蓄光材シート
【図１】
0003115575.tif 000003
【図２】
0003115575.tif 000004
【図３】
0003115575.tif 000005
【図４】
0003115575.tif 000006
【図５】
0003115575.tif 000007
【図６】
0003115575.tif 000008